(57)【要約】【課題】ＣＤ−ＲＯＭドライブ構造を提供し、メモリカードドライブを収納するＣＤ−ＲＯＭドライブ構造のものである。【解決手段】ケースと、光ディスクドライブと、メモリカードドライブとによって装置を構成し、該光ディスクドライブおよび該メモリカードドライブを収納する収納空間を該ケースに設け、フロントパネルを該ケースに設け、複数の空隙部を該フロントパネルに設け、中の一つの空隙部が光ディスクドライブのトレーの開閉操作を供し、他の空隙部の対応したところに、ＭＳメモリカードと、ＣＦ／ＭＤメモリカードと、ＳＤ／ＭＭＣメモリカードと、ＳＭ／ＭＤ／ＸＤ／ＰＣＭＣＩＡメモリカードとのドライブを設け、これによって、メモリカードドライブおよび光ディスクドライブを同一のケース内に設け、小型、省スペース、コストを削減するＣＤ−ＲＯＭドライブ構造。【選択図】　図２
0003099069.tif 000002
【実用新案登録請求の範囲】
【請求項１】
収納空間を内蔵するケースと、
ケース内に設けられ、ＣＤ−ＲＯＭの読み取り、書き込みを供する光ディスクドライブと、
前記ケース内に設けられ、メモリカードの読み取り、書き込みを供するメモリカードドライブとを含むことを特徴とするＣＤ−ＲＯＭドライブ構造。
【請求項２】
該ケースがフロントパネルを具え、複数の空隙部を該フロントパネルに設け、中の一つの空隙部が光ディスクドライブのトレーの開閉操作を供し、他の空隙部が光ディスクドライブのトレー外の空間を有効にメモリカードドライブの収納空間を供することを含む特徴とする請求項１に記載のＣＤ−ＲＯＭドライブ構造。
【請求項３】
該メモリカードドライブの空隙部に対応するところに、ＭＳ／ＣＦ／ＭＤ／ＳＤ／ＭＭＣ／ＳＭ／ＸＤ／ＰＣＭＣＩＡメモリカードの一組、もしくは一組以上のメモリカードドライブを設けられることを含む特徴とする請求項２に記載のＣＤ−ＲＯＭドライブ構造。
【考案の詳細な説明】
【０００１】
【考案の属する技術分野】
この考案は、ＣＤ−ＲＯＭドライブ構造を提供し、メモリカードドライブを収納するＣＤ−ＲＯＭドライブ構造に関する。
【０００２】
【背景技術】
従来は、ＣＤ−ＲＯＭドライブ構造は、ケースおよび光ディスクドライブによって装置を構成し、標準型５．２５インチ内接式ＣＤ−ＲＯＭドライブ（図１の示すように）である。該ケースがフロントパネルを具え、制御スイッチをフロントパネル上に設け、光ディスクドライブへ導電的接続し、フロントパネル上の制御スイッチの操作により、ケース内の光ディスクドライブを稼動させる。フロントパネルの外形寸法は、幅さ１４．８センチ、高さ４．２センチであり、ケースの外形寸法は、フロントパネルのより小さく、幅さ１４．５センチ、高さ４センチ、長さ１６．５センチ、もしくは２０．５センチに準拠して形成されている。実に、該光ディスクドライブの厚さは約フロントパネルの半分であり、言い換えれば、該光ディスクドライブの稼動構造範囲は、ケース体積の半分であり、残留空間は、回路基板と、スイッチなどの電気部品とを収納し、該電気部品が残留空間の半分しか占めていない。これによって、市販されているＣＤ−ＲＯＭドライブは大型、スペースを占めるなどの欠点があり、且つケースの余った体積はコストがかかる。
【０００３】
標準型３．５インチ内接式カードリーダーは、ケースおよびメモリカードドライブによって装置を構成し、該ケースがフロントパネルを具え、制御スイッチをフロントパネル上に設け、メモリカードへ導電的接続し、フロントパネル上の制御スイッチの操作により、ケース内のメモリカードドライブを稼動させる。フロントパネルの外形寸法は、幅さ１０．１センチ、高さ２．５センチであり、ケースの外形寸法は、フロントパネルのより小さく、幅さ１０センチ、高さ２．３センチ、長さ１３センチに準拠して形成されている。実に、該メモリカードドライブおよび制御回路基板をあわせた合計体積は、該フロントパネルおよびケースの占めた体積より、はるかに小さく、約ケース内の体積の四分の一しか占めていない。これによって、市販されている標準型３．５インチ内接式カードリーダーは大型、スペースを占めるなどの欠点があり、且つケースの製造コストが高い。
【０００４】
また、消費者は必ず別れてＣＤ−ＲＯＭドライブとカードリーダーを買わなければならない。そのため、商品を選んで買う不便なことと、携帯する不便なこととをもたらして、且つコストは高い。従来のＣＤ−ＲＯＭドライブとカードリーダーを同時にホストコンピューターに設置する場合、必ず二つのスロットを占用する。すなわち、５．２５インチスロットおよび３．５インチスロットである。したがって、ホストコンピューターの重さと体積を縮小することが出来ない。
【０００５】
【考案が解決しようとする課題】
この考案は、ＣＤ−ＲＯＭドライブ構造を提供し、メモリカードドライブを収納するＣＤ−ＲＯＭドライブ構造を提供し、体積を縮小し、コストを削減することを課題とする。
【０００６】
また、この考案はＣＤ−ＲＯＭドライブを記憶カードと結び付けて、占用空間を節減することによって、ホストコンピューターの体積を縮小することを含むＣＤ−ＲＯＭドライブ構造を提供することを課題とする。
【０００７】
更に、この考案はＣＤ−ＲＯＭドライブを記憶カードと結び付けて、消費者の負担する購入コストを削減し、かつ携帯に便利なものを含むＣＤ−ＲＯＭドライブ構造を提供することを課題とする。
【０００８】
【課題を解決するための手段】
そこで、本考案者は、従来の技術に見られる欠点に鑑みて鋭意研究を重ねた結果、請求項１に記載するＣＤ−ＲＯＭドライブ構造は、収納空間を内蔵するケースと、
前記ケース内に設けられ、ＣＤ−ＲＯＭの読み取り、書き込みを供する光ディスクドライブと、
前記ケース内に設けられ、メモリカードの読み取り、書き込みを供するメモリカードドライブと、を含むＣＤ−ＲＯＭドライブ構造によって課題を解決できる点に着眼し、かかる知見に基づいて本考案を完成させた。
【０００９】
請求項２に記載するＣＤ−ＲＯＭドライブ構造は、請求項１における該ケースがフロントパネルを具え、複数の空隙部を該フロントパネルに設け、中の一つの空隙部が光ディスクドライブのトレーの開閉操作を供し、他の空隙部が光ディスクドライブのトレー外の空間を有効にメモリカードドライブの収納空間を供することを含む。
【００１０】
請求項３に記載するＣＤ−ＲＯＭドライブ構造は、請求項２における該メモリカードドライブの空隙部に対応するところに、ＭＳ／ＣＦ／ＭＤ／ＳＤ／ＭＭＣ／ＳＭ／ＸＤ／ＰＣＭＣＩＡメモリカードの一組、もしくは一組以上のメモリカードドライブを設けられることを含む。
【００１１】
【考案の効果】
この考案によれば、ＣＤ−ＲＯＭドライブのケースはメモリカードドライブを収納することができるため、有効に体積を縮小し、製造コストを削減することができ、占用スペースを節減し、かつ携帯に便利なもののみならず、消費者の負担する購入コストを削減し、経済利益を得る効果を有する。
【００１２】
【考案を実施するための最良の形態】
この考案は、ＣＤ−ＲＯＭドライブ構造において、ケースと、光ディスクドライブと、メモリカードドライブとによって装置を構成し、該光ディスクドライブおよび該メモリカードドライブを収納する収納空間を該ケースに設け、フロントパネルを該ケースに設け、複数の空隙部を該フロントパネルに設け、中の一つの空隙部が光ディスクドライブのトレーの開閉操作を供し、他の空隙部の対応したところに、ＭＳメモリカードと、ＣＦ／ＭＤメモリカードと、ＳＤ／ＭＭＣメモリカードと、ＳＭ／ＭＤ／ＸＤ／ＰＣＭＣＩＡメモリカードとのドライブを設け、これによって、メモリカードドライブおよび光ディスクドライブを同一のケース内に設け、小型、省スペース、コストを削減することに供する。
かかる　ＣＤ−ＲＯＭドライブ構造について、具体的な実施例を挙げ、その特徴を以下に詳述する。
【００１３】
【実施例】
図２及び図３は本考案の好ましい実施の形態の概略を示すものであり、この考案によるＣＤ−ＲＯＭドライブ構造は、ケース１０と、光ディスクドライブ２０と、メモリカードドライブ３０とによって装置を構成する。該ケース１０が収納空間１１を具え、光ディスクドライブ２０およびメモリカードドライブ３０を収納でき、該光ディスクドライブ２０をケース１０の収納空間１１の上端に設け、該メモリカードドライブ３０をケース１０の収納空間１１内の該光ディスクドライブ２０の下端に設ける。
【００１４】
該ケース１０がフロントパネル４０を具え、複数の空隙部４１、４３を該フロントパネル４０に設け、中の一つの該空隙部４１が光ディスクドライブ２０のトレー２１の開閉操作を供し、他の空隙部４３が各種のメモリカードドライブ装置（たとえば、ＭＳ／ＣＦ／ＭＤ／ＳＤ／ＭＭＣ／ＳＭ／ＸＤ／ＰＣＭＣＩＡメモリカード）の収納空間を供し、その組み合わせはニーズによって、残留空間内に配置することができる。（たとえば、３２、３４、３５）
【００１５】
該光ディスクドライブ２０は回路制御基板２２を含んでなり、制御電子部品２２１を回路制御基板２２の上に設け、メモリカードドライブ３０を光ディスクドライブ２０の下端に設け、制御電子部品２２１を回路制御基板２２底部の後方を設けることができ、もしくは小型の電子部品を採用することもできる。
【００１６】
該メモリカードドライブ３０の空隙部４３に対応するところに、書き込み（もしくは読み取り）のできるＭＳ／ＣＦ／ＭＤ／ＳＤ／ＭＭＣ／ＳＭ／ＸＤ／、もしくはＰＣＭＣＩＡメモリカードドライブ３３装置を設け、該空隙部４３に搭載するメモリカードドライブ装置３３の種類と数は、ニーズによって、設置すべきだ。また、該メモリカードドライブ３０に回路制御基板３１を搭載し、該回路制御基板３１の上に制御電子部品３１１を設け、該制御電子部品３１１の体積は大きくないため、決して設計の悩みをもたらすことがありえない。
【００１７】
更に、その他の外部部品、たとえば、ヘッドホン端子２３、音量調整ボタン２４、制御ボタン２５、ランプ２６、メモリカードドライブ３０の稼動状態を示すランプ３６などをフロントパネルの適切なところに設置する。
【００１８】
以上は、この考案の好ましい実施の形態であって、この考案の実施の形態の範囲を限定するものではない。よって、当業者のなし得る修正、もしくは変更であって、この考案の精神の下においてなされ、この考案に対して均等の効果を有するものは、いずれもこの考案の特許請求の範囲に属するものとする。
【００１９】
【産業上の利用可能性】
この考案によるＣＤ−ＲＯＭドライブ構造は、ケースと、光ディスクドライブと、メモリカードドライブとによって装置を構成し、該光ディスクドライブおよび該メモリカードドライブを収納する収納空間を該ケースに設け、フロントパネルを該ケースに設け、複数の空隙部を該フロントパネルに設け、中の一つの空隙部が光ディスクドライブのトレーの開閉操作を供し、他の空隙部の対応したところに、ＭＳメモリカードと、ＣＦ／ＭＤメモリカードと、ＳＤ／ＭＭＣメモリカードと、ＳＭ／ＭＤ／ＸＤ／ＰＣＭＣＩＡメモリカードとのドライブを設け、これによって、メモリカードドライブおよび光ディスクドライブを同一のケース内に設け、小型、省スペース、コストを削減することに供する。
【図面の簡単な説明】
【図１】従来の実施の形態の概略を表わす説明図である。
【図２】この考案によるＣＤ−ＲＯＭドライブ構造の好ましい実施の形態の概略を表わす説明図である。
【図３】図１のＡ−Ａ断面図である。
【符号の説明】
【００２１】
１０　　　　　　　　ケース
１１　　　　　　　　　収納空間
２０　　　　　　　　光ディスクドライブ
２１　　　　　　　　トレー
２２　　　　　　　　回路制御基板
２２１　　　　　　　表示作業テーブル
２３　　　　　　　　ヘッドホン端子
２４　　　　　　　　音量調整ボタン
２５　　　　　　　　制御ボタン
２６　　　　　　　　ランプ
３０　　　　　　　　メモリカードドライブ
３１　　　　　　　　回路制御基板
３１１　　　　　　　制御電子部品
３３　　　　　　　　メモリカードドライブ装置
３２、３４、３５　　事前設定した装置孔
３６　　　　　　　　ランプ
４０　　　　　　　　フロントパネル
４１、４３　　　　　空隙部
４２、４４、４５　　事前設定した空隙部
【図１】
0003099069.tif 000003
【図２】
0003099069.tif 000004
【図３】
0003099069.tif 000005